【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
進化型NodeB(eNB)の装置であって、当該装置は、
メモリと、
前記メモリと通信するハードウェア処理回路と、を含み、前記ハードウェア処理回路は、
トランシーバによるユーザ機器(UE)への送信のために、前記進化型NodeB(eNB)から目標セルへのハンドオーバーのための前記ユーザ機器(UE)への無線リソース制御(RRC)ConnectionReconfigurationメッセージを符号化するように構成され、前記無線リソース制御(RRC)ConnectionReconfigurationメッセージは、前記メモリに格納されており、MobilityControlInfo情報要素(IE)を含み、前記MobilityControlInfo情報要素(IE)は、"rach-Skip"を含み、前記"rach-Skip"は、前記ユーザ機器(UE)が、前記目標セルへのハンドオーバーと関連するランダムアクセス手順(RAP)を省略するように構成されるということを示し、
前記ハードウェア処理回路は、前記無線リソース制御(RRC)ConnectionReconfigurationメッセージの送信の後に、前記ユーザ機器(UE)から受信した無線リソース制御(RRC)ConnectionReconfigurationCompleteメッセージを復号化するように構成され、前記無線リソース制御(RRC)ConnectionReconfigurationCompleteメッセージは、前記目標セルへのハンドオーバーを示すように構成される、
装置。
【請求項２】
前記MobilityControlInfo情報要素(IE)は、前記目標セルにアクセスするための専用ランダムアクセスパラメータを含む、請求項１に記載の装置。
【請求項３】
前記進化型NodeB(eNB)は、プライマリセル(PCell)である、請求項１に記載の装置。
【請求項４】
前記MobilityControlInfo情報要素(IE)は、目標タイミングアドバンス(TA)フィールドを含み、前記目標タイミングアドバンス(TA)フィールドは、前記目標セルのために使用するタイミングアドバンスを含む、請求項１に記載の装置。
【請求項５】
前記MobilityControlInfo情報要素(IE)は、アップリンク(UL)許可フィールドを含み、前記アップリンク(UL)許可フィールドは、アップリンク送信のために使用される前記目標セルのリソースを示す、請求項１に記載の装置。
【請求項６】
前記アップリンク送信は、物理アップリンク共有チャネル(PUSCH)を含む、請求項５に記載の装置。
【請求項７】
前記MobilityControlInfo情報要素(IE)は、前記目標セル及び前記進化型NodeB(eNB)が同じ場所に配置されているということを示すフィールドを含む、請求項１に記載の装置。
【請求項８】
前記無線リソース制御(RRC)ConnectionReconfigurationメッセージ及び前記無線リソース制御(RRC)ConnectionReconfigurationCompleteメッセージは、異なる帯域において通信される、請求項１に記載の装置。
【請求項９】
前記無線リソース制御(RRC)ConnectionReconfigurationメッセージは、前記進化型NodeB(eNB)によってライセンス補助アクセス(LAA)帯域において送信され、前記無線リソース制御(RRC)ConnectionReconfigurationCompleteメッセージは、前記進化型NodeB(eNB)によってプライマリロングタームエボリューション(LTE)帯域において受信される、請求項８に記載の装置。
【請求項１０】
前記ハードウェア処理回路は、さらに、
既存免許人によるライセンス補助アクセス(LAA)帯域の回収の通知を復号化し、
前記通知の受信に応答して前記無線リソース制御(RRC)ConnectionReconfigurationメッセージを送信することによって、前記ユーザ機器(UE)の前記ライセンス補助アクセス(LAA)帯域からプライマリロングタームエボリューション(LTE)帯域へのハンドオーバーを開始する、ように構成される、請求項１に記載の装置。
【請求項１１】
前記ハードウェア処理回路は、さらに、前記進化型NodeB(eNB)及び前記目標セルが同じ場所に配置されているという決定に応答して、前記MobilityControlInfo情報要素(IE)の中に前記"rach-Skip"を含めるように構成される、請求項１に記載の装置。
【請求項１２】
ユーザ機器(UE)の装置であって、当該装置は、
メモリと、
前記メモリと通信するハードウェア処理回路と、を含み、前記ハードウェア処理回路は、
進化型NodeB(eNB)からの無線リソース制御(RRC)ConnectionReconfigurationメッセージを復号化するように構成され、前記無線リソース制御(RRC)ConnectionReconfigurationメッセージは、MobilityControlInfo情報要素(IE)を含み、前記MobilityControlInfo情報要素(IE)は、"rach-Skip"を含み、前記"rach-Skip"は、前記ユーザ機器(UE)が、目標セルへのハンドオーバーと関連するランダムアクセス手順(RAP)を省略するように構成されるということを示し、
前記ハードウェア処理回路は、前記MobilityControlInfo情報要素(IE)の受信に応答して、前記目標セルへのハンドオーバーの間に前記"rach-Skip"を適用し、
前記無線リソース制御(RRC)ConnectionReconfigurationメッセージの受信の後に、前記進化型NodeB(eNB)への送信のために、無線リソース制御(RRC)ConnectionReconfigurationCompleteメッセージを符号化するように構成され、前記無線リソース制御(RRC)ConnectionReconfigurationCompleteメッセージは、前記メモリに格納されており、前記目標セルへのハンドオーバーを示すように構成される、
装置。
【請求項１３】
前記MobilityControlInfo情報要素(IE)は、前記目標セルにアクセスするための専用ランダムアクセスパラメータを含む、請求項１２に記載の装置。
【請求項１４】
前記進化型NodeB(eNB)は、プライマリセル(PCell)である、請求項１２に記載の装置。
【請求項１５】
前記MobilityControlInfo情報要素(IE)は、目標タイミングアドバンス(TA)フィールドを含み、前記目標タイミングアドバンス(TA)フィールドは、前記目標セルのために使用するタイミングアドバンスを含む、請求項１２に記載の装置。
【請求項１６】
前記MobilityControlInfo情報要素(IE)は、アップリンク(UL)許可フィールドを含み、前記アップリンク(UL)許可フィールドは、アップリンク送信のために使用される前記目標セルのリソースを示す、請求項１２に記載の装置。
【請求項１７】
前記アップリンク送信は、物理アップリンク共有チャネル(PUSCH)を含む、請求項１６に記載の装置。
【請求項１８】
前記MobilityControlInfo情報要素(IE)は、前記目標セル及び前記進化型NodeB(eNB)が同じ場所に配置されているということを示すフィールドを含む、請求項１２に記載の装置。
【請求項１９】
前記無線リソース制御(RRC)ConnectionReconfigurationメッセージ及び前記無線リソース制御(RRC)ConnectionReconfigurationCompleteメッセージは、異なる帯域において通信される、請求項１２に記載の装置。
【請求項２０】
前記無線リソース制御(RRC)ConnectionReconfigurationメッセージは、前記進化型NodeB(eNB)によってライセンス補助アクセス(LAA)帯域において送信され、前記無線リソース制御(RRC)ConnectionReconfigurationCompleteメッセージは、前記進化型NodeB(eNB)によってプライマリロングタームエボリューション(LTE)帯域において受信される、請求項１９に記載の装置。
【請求項２１】
複数の命令を含むコンピュータプログラムであって、前記複数の命令は、ユーザ機器(UE)の1つ又は複数のプロセッサで実行されると、前記ユーザ機器(UE)に、
進化型NodeB(eNB)からの無線リソース制御(RRC)ConnectionReconfigurationメッセージを受信させ、前記無線リソース制御(RRC)ConnectionReconfigurationメッセージは、MobilityControlInfo情報要素(IE)を含み、前記MobilityControlInfo情報要素(IE)は、"rach-Skip"を含み、前記"rach-Skip"は、前記ユーザ機器(UE)が、目標セルへのハンドオーバーと関連するランダムアクセス手順(RAP)を省略するように構成されるということを示し、
前記MobilityControlInfo情報要素(IE)の受信に応答して、前記目標セルへのハンドオーバーの間に前記"rach-Skip"を適用させ、
前記無線リソース制御(RRC)ConnectionReconfigurationメッセージの受信の後に、前記進化型NodeB(eNB)に無線リソース制御(RRC)ConnectionReconfigurationCompleteメッセージを送信させ、前記無線リソース制御(RRC)ConnectionReconfigurationCompleteメッセージは、前記目標セルへのハンドオーバーを示すように構成される、
コンピュータプログラム。
【請求項２２】
前記MobilityControlInfo情報要素(IE)は、前記目標セルにアクセスするための専用ランダムアクセスパラメータを含む、請求項２１に記載のコンピュータプログラム。
【請求項２３】
請求項２１及び２２のいずれか１項に記載のコンピュータプログラムを格納しているコンピュータ読み取り可能な記憶媒体。